(57)【要約】      （修正有）【課題】ポストカードが備えるステッカーを、再接着および再剥離を自在に行えるステッカーとして、より興趣に富むポストカードを提供する。【解決手段】送付先表示エリアを除くカード本体１の表面または裏面１ｂの少なくとも一方にステッカー２を接着する。ステッカー２は、ステッカー本体１０と、接着層１１とを備え、接着層１１によりカード本体１に接着される。接着層１１を、接着と剥離とを繰り返すことができる再接着性を備えるものとする。これより、壁面やガラス面などに対するステッカー２の再接着および再剥離を自在に行うことができ、これに伴い、ステッカー２を、壁面やガラス面へ躊躇することなく気軽に接着させることができる。また、剥離の際にもステッカー２を簡便に剥離することができる。従って、ポストカードのステッカー２を有効に利用でき、より興趣に富むポストカードを得ることができる。【選択図】図１
0003193068.tif 000002
【実用新案登録請求の範囲】
【請求項１】
カード本体（１）の表面（１ａ）または裏面（１ｂ）のいずれか一方に、送付先表示エリア（４）が設けられており、
送付先表示エリア（４）を除くカード本体（１）の表面（１ａ）および裏面（１ｂ）の一方または両方にステッカー貼付エリア（７）が設けられており、
ステッカー（２）は、ステッカー本体（１０）と、接着層（１１）とを備え、接着層（１１）によりカード本体（１）のステッカー貼付エリア（７）に接着されており、
接着層（１１）が、接着と剥離とを繰り返すことができる再接着性を備えていることを特徴とするポストカード。
【請求項２】
再接着性を備える接着層（１１）が、表面に微小凹部を多数備えたミクロ吸盤シート（１３）で構成されている請求項１に記載のポストカード。
【請求項３】
ステッカー貼付エリア（７）に、表面が平滑な貼付層（８）が設けられて、ステッカー（２）が貼付層（８）を介してカード本体（１）に接着されている請求項１または２に記載のポストカード。
【請求項４】
ステッカー貼付エリア（７）が、剥離可能な保護シート（３０）で覆われている請求項１または２に記載のポストカード。
【請求項５】
長方形状のカード本体（１）の表面（１ａ）に、送付先表示エリア（４）が設けられ、カード本体（１）の裏面（１ｂ）にステッカー貼付エリア（７）が設けられており、
カード本体（１）の裏面（１ｂ）が内面側に位置するようにカード本体（１）を長辺の中央で２つ折りにし、折り位置を除く３方の周縁部（３２）が接着されてカード本体（１）が密閉袋状に形成されている請求項１または２に記載のポストカード。
【考案の詳細な説明】
【技術分野】
【０００１】
本考案は、ステッカーを備えるポストカードに関する。
【背景技術】
【０００２】
特許文献１に、装飾用ステッカーを備える絵葉書（ポストカード）が開示されている。係る特許文献１の絵葉書では、裏面に葉書印刷部が形成され、上面に絵印刷部および離型皮膜層が形成された剥離台紙と装飾用ステッカーとを備えている。装飾用ステッカーは、離型皮膜層上に、粘着剤層、ベース層、模様印刷部を記載順に下側から積層することで形成されている。粘着剤層は、油性粘着剤あるいは水性粘着剤で構成されている。
【０００３】
特許文献２に、ハガキ（ポストカード）の片面にステッカーを貼り付けたステッカー付きのハガキが開示されている。係る特許文献２のハガキでは、ステッカーの非印刷面に弱粘着層を形成し、この弱粘着層を台紙の平滑面に接着することにより、ステッカーがハガキと一体化されている。
【先行技術文献】
【特許文献】
【０００４】
【特許文献１】登録実用新案第３０１９１９１号公報（段落番号０００６、図１）
【特許文献２】登録実用新案第３０９６８７１号公報（段落番号０００５、図４）
【考案の概要】
【考案が解決しようとする課題】
【０００５】
特許文献１の絵葉書および特許文献２のハガキでは、ステッカーを剥離可能に構成しており、ステッカーを剥離台紙あるいはハガキから剥離したのち、壁面やガラス面などの接着面に接着することができ、興趣に富むポストカードになっている。しかし、特許文献１の絵葉書では、粘着剤層を油性粘着剤あるいは水性粘着剤で構成しているため、ステッカーを接着面に貼り付けると強固に接着され、ステッカーの除去や位置変更が困難である。また、ステッカーの除去後は、接着面に粘着剤が残って貼り跡が目立ち、これを除去する手間もかかる。このため、ポストカードを受取ったユーザーは、ステッカーを壁面やガラス面などに接着することにためらいを感じることが多く、ステッカーを有効に利用できない点に問題があった。
【０００６】
特許文献２のハガキでは、粘着層を弱粘着層で構成しているため、ステッカーの接着面への接着あるいは剥離を容易に行うことができ、また、貼り跡も残りにくい。しかし、凹凸面を有する接着面にステッカーを接着する場合には、接着面と弱粘着層との接触面積が小さくなり、十分な接着力が得られず、ステッカーがすぐに剥がれるおそれがある。
【０００７】
本考案の目的は、ポストカードが備えるステッカーを、再接着および再剥離を自在に行えるステッカーとして、より興趣に富むポストカードを得ることにある。
本考案の目的は、凹凸面を有する壁面やガラス面などであっても確実に接着し、また貼り跡を残すことなく剥離できるステッカーを備えるポストカードを提供することにある。
【課題を解決するための手段】
【０００８】
本考案のポストカードは、カード本体１の表面１ａまたは裏面１ｂのいずれか一方に、送付先表示エリア４が設けられている。送付先表示エリア４を除くカード本体１の表面１ａおよび裏面１ｂの一方または両方にステッカー貼付エリア７が設けられている。ステッカー２は、ステッカー本体１０と、接着層１１とを備え、接着層１１によりカード本体１のステッカー貼付エリア７に接着されている。接着層１１が、接着と剥離とを繰り返すことができる再接着性を備えていることを特徴とする。
【０００９】
再接着性を備える接着層１１は、表面に微小凹部を多数備えたミクロ吸盤シート１３で構成することができる。
【００１０】
ステッカー貼付エリア７に、表面が平滑な貼付層８が設けられて、ステッカー２が貼付層８を介してカード本体１に接着されていることが好ましい。
【００１１】
ステッカー貼付エリア７は、剥離可能な保護シート３０で覆われている形態を採ることができる。
【００１２】
長方形状のカード本体１の表面１ａに、送付先表示エリア４が設けられ、カード本体１の裏面１ｂにステッカー貼付エリア７が設けられている。カード本体１の裏面１ｂが内面側に位置するようにカード本体１を長辺の中央で２つ折りにし、折り位置を除く３方の縁部が剥離可能に接着されてカード本体１が密閉袋状に形成されている形態を採ることができる。
【考案の効果】
【００１３】
本考案のポストカードにおいては、カード本体１のステッカー貼付エリア７に接着されるステッカー２の接着層１１を、接着と剥離とを繰り返すことができる再接着性を備えるものとした。これによれば、壁面やガラス面などに対するステッカー２の再接着および再剥離を自在に行うことができる。これに伴い、ポストカードを受取ったユーザーは、壁面やガラス面などへ、ステッカー２を躊躇することなく気軽に接着させることができ、また、剥離の際にもステッカー２を簡便に剥離することができるので、ポストカードのステッカー２を有効に利用できる。従って、ステッカーを利用することにためらいを感じていた従来のポストカードに比べて、より興趣に富むポストカードを得ることができる。
【００１４】
再接着性を備える接着層１１を表面に微小凹部を多数備えたミクロ吸盤シート１３で構成すると、ミクロ吸盤シート１３は、多数のミクロ吸盤の吸着作用を利用するので、壁面やガラス面などが凹凸面を有する場合であっても、ミクロ吸盤シート１３と凹凸面とが接触する部分で吸着作用を発揮して、ステッカー２を確実に接着することができる。加えて、ミクロ吸盤シート１３で構成される接着層１１には粘着剤が含まれていないので、壁面やガラス面などにステッカー２の貼り跡が残ることがない。粘着剤を含まない接着層１１は、溶剤による肌アレルギーを懸念することもない。さらに、ミクロ吸盤シート１３の接着力が低下した場合には、中性洗剤などでミクロ吸盤シート１３の吸着面を洗浄することにより、接着力を回復させることができるので、ステッカー２を長期にわたって使用することができる。
【００１５】
ステッカー貼付エリア７に設けた表面が平滑な貼付層８を介してステッカー２をカード本体１に接着すると、貼付層８に接着層１１の吸着面を密着させることができ、接着層１１が持つ接着力を最大に発揮させることができる。これにより、ポストカードの配送過程において、意図せずカード本体１からステッカー２が剥がれるのを防ぐことができる。
【００１６】
ステッカー貼付エリア７を、剥離可能な保護シート３０で覆うと、ステッカー２がカード本体１から捲れようとするのを保護シート３０で阻止できる。従って、ポストカードの配送過程において、ステッカー２が他物と接触してカード本体１から剥がれ落ちるのを防止でき、さらに、ステッカー２が他物と接触して破損し、あるいは汚損されるのを確実に防止できる。
【００１７】
ステッカー貼付エリア７が設けられるカード本体１の裏面１ｂが内面側に位置するようにカード本体１を長辺の中央で均等に２つ折りにし、折り位置を除く３方の周縁部を接着して、カード本体１を密閉袋状に形成すると、ステッカー２の外面をカード本体１で覆い隠して保護することができる。従って、ステッカー２が他物と接触して破損し、あるいは汚損されるのをさらに確実に防止できる。
【図面の簡単な説明】
【００１８】
【図１】本考案の実施例１に係るポストカードの斜視図であり、ステッカーをポストカードから剥離した状態を示している。
【図２】（ａ）はカード本体の表面を示すポストカードの正面図であり、（ｂ）はカード本体の裏面を示すポストカードの背面図である。
【図３】図２におけるＡ−Ａ線断面図である。
【図４】本考案の実施例２に係るポストカードの斜視図であり、ステッカーをポストカードから剥離した状態を示している。
【図５】本考案の実施例３に係るポストカードの斜視図である。
【図６】本考案の実施例４に係るポストカードの斜視図であり、（ａ）は開封前の状態を示しており、（ｂ）は開封後の状態を示している。
【考案を実施するための形態】
【００１９】
（実施例１）  図１から図３は本考案に係るポストカードを、広告提供者が広告宣伝や販売促進を行う営業ツールとして使用した実施例を示す。本考案における左右、上下とは、図１に示す矢印と、各矢印の近傍に表記した左右、上下の表示に従う。図１において、ポストカードは、カード本体１とカード本体１に接着されるステッカー２とで構成されている。カード本体１は市販の郵便はがきを使用しており、短辺が１００ｍｍであり、長辺が１４８ｍｍである。
【００２０】
図２に示すように、カード本体１の表面１ａには、上半部に送付先表示エリア４が設けられ、下半部に情報表示エリア５が設けられている。送付先表示エリア４には、広告提供者の顧客の住所、氏名、顧客を識別するＩＤナンバーなどが印刷される。情報表示エリア５には、イベントやキャンペーンなどの情報、商品広告などが印刷される。また、顧客を担当する企業の担当者が交代した場合には、旧担当者の挨拶や新担当者の紹介を印刷することで、遠方で直接訪問できない顧客に対して担当者が交代した旨を通知することができる。
【００２１】
カード本体１の裏面１ｂには、上半部に広告提供者表示エリア６が設けられ、下半部にステッカー貼付エリア７が設けられている。広告提供者表示エリア６には、情報表示エリア５の情報を提供する広告提供者の企業名、住所、電話番号、ＦＡＸ番号、メールアドレス、一次元バーコード、二次元コードなどが印刷される。上記各表示エリア４・５・６は、凸版印刷、オフセット印刷、レーザ式またはインクジェット式プリンタによる印刷など公知の印刷手法で印刷できる。ステッカー貼付エリア７には、表面が平滑なプラスチックフィルムで形成される貼付層８が設けられている。貼付層８は、カード本体１の裏面１ｂの下半部全体を覆うように設けられており、貼付層８に塗布した接着剤で、カード本体１の裏面１ｂに分離不能に接着固定されている。この貼付層８上にステッカー２を接着することにより、ステッカー２は、貼付層８を介してカード本体１に接着される。
【００２２】
図１および図３に示すようにステッカー２は、プラスチックシートからなるステッカー本体１０と、ステッカー本体１０の一方の面に設けられる接着層１１とを備えている。接着層１１は、接着と剥離とを繰り返すことができる再接着性を備えている。具体的には、接着層１１は、表面に微小凹部を多数備えたミクロ吸盤シート１３で構成されている。ミクロ吸盤シート１３は、油性粘着剤あるは水性接着剤を含まず、その表面の微小凹部からなる多数のミクロ吸盤の吸着作用を利用して接着力を発揮するようになっている。これより、接着面へのステッカー２の再接着および再剥離を自在に行うことができる。ステッカー本体１０とミクロ吸盤シート１３とは、ステッカー本体１０に塗布した接着剤で接着固定されている。ステッカー２は、ミクロ吸盤シート１３の吸着作用により、ステッカー貼付エリア７の貼付層８上に接着されている。ステッカー本体１０の他方の面には、絵柄、文字、図形、キャラクターなどで構成される印刷層１２が設けられている。印刷層１２は、先の各表示エリア４・５・６と同様に、凸版印刷、オフセット印刷、レーザ式またはインクジェット式プリンタによる印刷など公知の印刷手法で印刷できる。
【００２３】
本実施例のポストカードは、例えば以下の方法で製造できる。まず、カード本体１（郵便はがき）は、情報表示エリア５および広告提供者表示エリア６にレーザ式プリンタを用いて、広告情報と広告提供者の内容を印刷する。こののち、ステッカー貼付エリア７にポリプロピレンフィルムを接着固定し、貼付層８を形成する。ステッカー２は、所定寸法（例えばＡ４サイズ）に裁断したステッカー本体１０とミクロ吸盤シート１３とを接着固定する。このとき、ミクロ吸盤シート１３の外側面（吸着面）には、剥離紙を貼り付けて吸着面への汚れの付着を防止する。次に、ステッカー本体１０に所望の印刷層１２を上記の印刷手法で印刷し、印刷層１２が乾燥したのち、カッティングマシンを用いて、所望の形状に切り抜くことにより、ステッカー２を製造することができる。本実施例では、印刷層１２として鳥が飛んでいる状態をイラスト化した絵柄が印刷してある。ステッカー本体１０および接着層１１は、印刷層１２の外形形状に近似するひとまわり大きな形状に切り抜いてある。ステッカー２を製造したのちは、剥離紙を剥がしてステッカー貼付エリア７の貼付層８上にステッカー２を接着して、カード本体１とステッカー２とを一体化することにより、ステッカー２を備えるポストカードを得ることができる。上記製造方法は、ポストカードが小ロットの場合に適している。使用時には、得られたポストカードの送付先表示エリア４に顧客の住所、氏名等を印刷したのち発送する。
【００２４】
ポストカードを子供のいる顧客に送付する場合には、ステッカー２を子供の成長に応じて、そのときの身長を壁面に表示するウォールステッカーとして利用できることを情報表示エリア５に記載して、半年毎など定期的に顧客に送付すれば、広告宣伝や販売促進のための営業ツールとしてポストカードを有用に活用できる。
【００２５】
（実施例２）  図４に本考案に係るポストカードの実施例２を示す。この実施例では、ステッカー２をカード本体１と同サイズに形成した点と、貼付層８をカード本体１の裏面１ｂの全面を覆うように設けた点が、先の実施例１と大きく異なる。カード本体１の表面１ａの上半部には、送付先表示エリア４が設けられており、下半部には、広告提供者表示エリア６が設けられている。また、カード本体１の裏面１ｂの略全面には、情報表示エリア５が設けられており、情報表示エリア５は、ステッカー貼付エリア７を兼ねている。ステッカー貼付エリア７には、貼付層８が設けられるが、情報表示エリア５を、視認できるようにするために、貼付層８は透明のポリプロピレンフィルムで形成し、透明の接着剤を用いて貼付層８をカード本体１に接着固定している。これにより、貼付層８を介して情報表示エリア５が視認できる。
【００２６】
ステッカー２は、カード本体１と同じ短辺寸法および長辺寸法のステッカー本体１０とミクロ吸着シート１３（接着層１１）とで構成されており、中央の第１ステッカー２１と、第１ステッカー２１を囲む第２ステッカー２２とに分離できるように構成されている。第１ステッカー２１と第２ステッカー２２とは、周回状の切込み２３で区分されており、切込み２３は、８ヶ所の接続部２４を介して断続している。全部の接続部２４を切取ることにより、第１ステッカー２１と第２ステッカー２２とは分離することができる。第１ステッカー２１には第１印刷層２５が設けられており、第２ステッカー２２には第２印刷層２６が設けられている。それ以外の点は、先の実施例１と同様であるので、同一の部材には同様の符号を付して、その説明を省略する。本実施例では、ステッカー２を剥がしたときに初めて情報表示エリア５を視認できるので、情報表示エリア５の情報や商品広告のインパクトを高める効果が期待できる。
【００２７】
以上のように、上記各実施例に係るポストカードによれば、カード本体１に接着されるステッカー２の接着層１１を、接着と剥離とを繰り返すことができる再接着性を備えるものとしたので、壁面やガラス面などに対するステッカー２の再接着および再剥離を自在に行うことができる。これに伴い、ポストカードを受取った顧客は、ステッカー２を、壁面やガラス面へ躊躇することなく気軽に接着させることができ、また、剥離の際にもステッカー２を簡便に剥離することができるので、ポストカードのステッカー２を有効に利用できる。従って、ステッカーを利用することにためらいを感じていた従来のポストカードに比べて、より興趣に富むポストカードを得ることができる。ステッカー２が有効に利用できることに伴って、ポストカードに印刷されている情報や商品広告などが顧客の目に留まることが期待できる。
【００２８】
また、接着層１１をミクロ吸盤シート１３で構成したので、接着面となる壁面やガラス面などが凹凸面を有する場合であっても、ミクロ吸盤シート１３が壁面やガラス面などと接触する部分で吸着力を発揮して、ステッカー２を確実に接着することができる。加えて、ミクロ吸盤シート１３で構成される接着層１１には粘着剤が含まれていないので、壁面やガラス面などにステッカー２の貼り跡が残ることがない。粘着剤を含まない接着層１１は、溶剤による肌アレルギーを懸念することもない。さらに、ミクロ吸盤シート１３の接着力が低下した場合には、中性洗剤などでミクロ吸盤シート１３の吸着面を洗浄することにより、接着力を回復させることができるので、ステッカー２を長期にわたって使用することができる。
【００２９】
表面が平滑な貼付層８を介してステッカー２をカード本体１に接着したので、貼付層８にミクロ吸盤シート１３（接着層１１）の吸着面全体を密着させることができ、ミクロ吸盤シート１３が持つ吸着力（接着力）を最大に発揮させることができる。これにより、ポストカードの配送過程において、意図せずカード本体１からステッカー２が剥がれるのを防ぐことができる。
【００３０】
（実施例３）  図５に本考案に係るポストカードの実施例３を示す。この実施例では、ステッカー貼付エリア７の貼付層８を省略した点と、ステッカー貼付エリア７を含むカード本体１の裏面１ｂ全体を、保護シート３０で覆った点が先の実施例１と異なる。図５に示すように、保護シート３０は、カード本体１と同じ短辺寸法および長辺寸法のプラスチックシートからなり、一方の面の全体に形成された粘着層３１を介して、ステッカー貼付エリア７を含むカード本体１の裏面１ｂに接着されている。粘着層３１は弱粘着性の粘着剤からなり、これより、保護シート３０はカード本体１の裏面１ｂから剥離可能に構成されている。保護シート３０を剥離することにより、ステッカー２をカード本体１から剥がすことができる。それ以外の点は、先の実施例１と同様であるので、同一の部材には同様の符号を付して、その説明を省略する。このように、カード本体１の裏面１ｂ全体に保護シート３０を接着して、ステッカー２の外面を保護シート３０で覆ったので、ステッカー２がカード本体１から捲れようとするのを保護シート３０で阻止できる。従って、ポストカードの配送過程において、ステッカー２が他物と接触してカード本体１から剥がれ落ちるのを防止でき、さらに、ステッカー２が他物と接触して破損し、あるいは汚損されるのを確実に防止できる。本実施例においては、カード本体１の裏面１ｂ全体を保護シート３０で覆うようにしたが、その必要はなく、少なくともステッカー貼付エリア７が保護シート３０で覆ってあれば足りる。
【００３１】
上記の実施例１から実施例３では、カード本体１として市販の郵便はがきを使用したが、公知の製造方法で製造される郵便はがきと同サイズの私製はがきであってもよい。また、私製はがきのサイズは郵便はがき以外のサイズであってもよく、形状も長方形状に限定されない。カード本体１の表面１ａおよび裏面１ｂの両面にステッカー貼付エリア７を設けて、各ステッカー貼付エリア７・７にそれぞれステッカー２・２を接着してもよい。また、ステッカー２の印刷層１２に風景を印刷することにより絵葉書として使用でき、または干支が印刷されたステッカー２を備える年賀状などとしても使用することができる。
【００３２】
（実施例４）  図６に本考案に係るポストカードの実施例４を示す。この実施例では、カード本体１を２つ折りにし、ポストカードを密閉袋状に形成した点が先の実施例１と異なる。カード本体１は、短辺が１４８ｍｍであり、長辺が２００ｍｍであり郵便はがきを２枚連結した大きさの横長長方形状に形成されている。図６（ａ）に示すように、カード本体１の表面１ａの左半部には、送付先表示エリア４が設けられており、右半部には、広告提供者表示エリア６が設けられている。図６（ｂ）に示すように、カード本体１の裏面１ｂの左半部の上下には、情報表示エリア５とステッカー貼付エリア７とが設けられており、右半部には、情報表示エリア５が設けられている。ステッカー貼付エリア７にステッカー２が接着されている。ステッカー貼付エリア７の貼付層８は省略してある。カード本体１は、裏面１ｂが内面側に位置するようにカード本体１を左右方向（長辺の中央）で均等に２つ折りされており、２つ折りされたカード本体１の折り位置を除く３方の周縁部３２を接着して密閉袋状に形成している。この状態のカード本体１は、郵便はがきと同じサイズである。周縁部３２の接着は、弱粘着性の粘着剤で接着することが好ましく、これより、接着部分を剥離可能に接着できる。周縁部３２を剥離することにより、裏面１ｂ側に露出したステッカー２を剥がすことができる。それ以外の点は、先の実施例１と同様であるので、同一の部材には同様の符号を付して、その説明を省略する。
【００３３】
本実施例に係るポストカードによれば、カード本体１を密閉袋状に形成したので、ステッカー２の外面をカード本体１で覆い隠して保護することができる。従って、ステッカー２が他物と接触して破損し、あるいは汚損されるのを確実に防止できる。また、カード本体１の表面積が、郵便はがきの倍の面積であるので、情報表示エリア５を大きくすることができ、その分多くの情報を顧客に配信することができる。なお、カード本体１を密閉袋状に形成した状態のポストカードの大きさは、郵便はがきのサイズに限定されず、例えばＡ４サイズあるいはそれ以上のサイズであってもよい。要は、密閉袋状のカード本体１は、郵便または宅配などで配送可能なサイズであればよい。
【００３４】
上記の各実施例のステッカー２の印刷層１２は省略することができ、この場合には、ステッカー本体１０の外形形状が絵柄、文字、図形、キャラクターなどに形成してあればよい。印刷層１２はカレンダーや広告商品の写真などであってもよい。ステッカー本体１０は紙で構成することができる。ステッカー２の製造工程において、ステッカー本体１０とミクロ吸盤シート１３との接着固定工程と、印刷層１２の印刷工程とは、逆の順序で行ってもよい。
【符号の説明】
【００３５】
１  カード本体
２  ステッカー
４  送付先表示エリア
７  ステッカー貼付エリア
８  貼付層
１０  ステッカー本体
１１  接着層
１３  ミクロ吸盤シート
３０  保護シート
３２  周縁部
【図１】
0003193068.tif 000003
【図２】
0003193068.tif 000004
【図３】
0003193068.tif 000005
【図４】
0003193068.tif 000006
【図５】
0003193068.tif 000007
【図６】
0003193068.tif 000008